(57)【要約】  上位ネットワーク装置との間のシグナリング量を削減して、上位ネットワーク装置の処理負荷を低減することができる小型基地局装置。この装置では、ＣＳＧメンバー管理部（１０２）は、ＣＳＧメンバー情報をあらかじめ記憶する。ネットワークメッセージ生成部（１０７）は、ＣＳＧメンバー管理部（１０２）に記憶しているＣＳＧメンバーの端末を上位ネットワーク装置に一括して登録するためのメッセージを生成する。ネットワークインタフェース部（１０８）は、ネットワークメッセージ生成部（１０７）により生成したメッセージを、起動時に上位ネットワーク装置に送信する。ネットワークメッセージ解析部（１０６）は、ネットワークインタフェース部（１０８）により送信したメッセージに対する応答として、ＣＳＧメンバーの端末と接続するためのパラメータ情報を上位ネットワーク装置より取得する。
2012046457.tif 000002
【特許請求の範囲】
【請求項１】
グループ化した端末の情報をあらかじめ記憶する管理手段と、
前記グループ化した端末を上位ネットワーク装置に一括して登録するためのメッセージを生成する生成手段と、
前記生成手段により生成した前記メッセージを所定のタイミングで前記上位ネットワーク装置に送信するネットワーク送信手段と、
前記ネットワーク送信手段により送信した前記メッセージに対する応答として、前記グループ化した端末と接続するためのパラメータを前記上位ネットワーク装置より取得する取得手段と、
を具備する小型基地局装置。
【請求項２】
前記ネットワーク送信手段は、前記所定のタイミングとして起動時に前記メッセージを送信する請求項１記載の小型基地局装置。
【請求項３】
前記管理手段は、記憶した前記グループ化した端末の情報を適宜更新し、
前記ネットワーク送信手段は、前記所定のタイミングとして前記グループ化した端末の情報の前記管理手段における更新時に前記メッセージを送信する請求項１記載の小型基地局装置。
【請求項４】
前記管理手段は、記憶した前記グループ化した端末の情報を適宜更新し、
前記生成手段は、前記管理手段において更新した端末を、前記上位ネットワーク装置に登録するための前記メッセージを生成する請求項１記載の小型基地局装置。
【請求項５】
前記グループ化した端末からの接続要求を受信する無線受信手段と、
前記無線受信手段により前記接続要求を受信した際に、前記取得手段により取得した前記パラメータを含むメッセージを前記接続要求した端末に送信する無線送信手段と、
をさらに具備し、
前記取得手段は、前記無線受信手段により前記接続要求を受信する前に前記パラメータを前記上位ネットワーク装置より取得する請求項１記載の小型基地局装置。
【請求項６】
小型基地局装置におけるシグナリング方法であって、
グループ化した端末の情報をあらかじめ記憶するステップと、
前記グループ化した端末を上位ネットワーク装置に一括して登録するためのメッセージを生成するステップと、
生成した前記メッセージを所定のタイミングで前記上位ネットワーク装置に送信するステップと、
を具備するシグナリング方法。
【発明の詳細な説明】
【技術分野】
【０００１】
本発明は、小型基地局装置及びシグナリング方法に関し、例えば家庭またはオフィス等の限られたエリア内の端末との接続及び解放を行う小型基地局装置及びシグナリング方法に関する。
【背景技術】
【０００２】
近年、家庭またはオフィス等の限られたエリアに小型基地局装置（Home NodeB：ＨｅＮＢ）を設置し、ＣＳＧ（Closed Subscriber Group）メンバー等の限られたユーザのみが小型基地局装置を使用して、高速通信を行うことが検討されている。この小型基地局装置についての規格化は３ＧＰＰで進められている。ここで、ＣＳＧメンバーとは、小型基地局装置で管理されるグループ化されたユーザである。【０００３】
また、小型基地局装置は、主にデータ通信の用途で使用され、パソコンまたはテレビ等の家庭内機器と接続されることが考えられる。また、小型基地局装置では、このような様々な家庭内機器と接続されることにより、接続端末数が増加する。このため、コアネットワークで処理しなければならないシグナリング量が増加するという課題がある。【０００４】
また、小型基地局装置とＥＰＣ（Evolver Packet Core）との間に中間ノードとして小型基地局ゲートウェイ（HeNB GW）を配置するものが知られている（例えば、非特許文献１）。非特許文献１によれば、ＭＭＥでは、小型基地局ゲートウェイを小型基地局として見せることにより、インタフェースの増加を抑制することができる。
【先行技術文献】
【非特許文献】
【０００５】
【非特許文献１】3GPP TS36.300
【発明の概要】
【発明が解決しようとする課題】
【０００６】
しかしながら、非特許文献１においては、インタフェースの増加を抑制することはできるものの、各端末が個々にシグナリングするので、シグナリング量を削減することはできない。このため、非特許文献１においては、上位ネットワーク装置の処理負荷を低減することができないという問題がある。【０００７】
本発明の目的は、上位ネットワーク装置との間のシグナリング量を削減して、上位ネットワーク装置の処理負荷を低減することができる小型基地局装置及びシグナリング方法を提供することである。
【課題を解決するための手段】
【０００８】
本発明の小型基地局装置は、グループ化した端末の情報をあらかじめ記憶する管理手段と、前記グループ化した端末を上位ネットワーク装置に一括して登録するためのメッセージを生成する生成手段と、前記生成手段により生成した前記メッセージを所定のタイミングで前記上位ネットワーク装置に送信するネットワーク送信手段と、前記ネットワーク送信手段により送信した前記メッセージに対する応答として、前記グループ化した端末と接続するためのパラメータを前記上位ネットワーク装置より取得する取得手段と、を具備する構成を採る。【０００９】
本発明のシグナリング方法は、小型基地局装置におけるシグナリング方法であって、グループ化した端末の情報をあらかじめ記憶するステップと、前記グループ化した端末を上位ネットワーク装置に一括して登録するためのメッセージを生成するステップと、生成した前記メッセージを所定のタイミングで前記上位ネットワーク装置に送信するステップと、を具備するようにした。
【発明の効果】
【００１０】
本発明によれば、上位ネットワーク装置との間のシグナリング量を削減して、上位ネットワーク装置の処理負荷を低減することができる。
【図面の簡単な説明】
【００１１】
【図１】本発明の実施の形態に係る小型基地局装置の構成を示すブロック図
【発明を実施するための形態】
【００１２】
以下、本発明の実施の形態について、図面を参照して詳細に説明する。
【００１３】
（実施の形態）
図１は、本発明の実施の形態に係る小型基地局装置１００の構成を示すブロック図である。
【００１４】
小型基地局装置１００は、ＣＳＧメンバーパラメータ管理部１０１と、ＣＳＧメンバー管理部１０２と、ＣＳＧメンバー接続状態管理部１０３と、ＨｅＮＢ制御部１０４と、端末代理機能部１０５と、ネットワークメッセージ解析部１０６と、ネットワークメッセージ生成部１０７と、ネットワークインタフェース部１０８と、無線メッセージ生成部１０９と、無線メッセージ解析部１１０と、無線インタフェース部１１１と、アンテナ１１２とから主に構成される。
【００１５】
ＣＳＧメンバーパラメータ管理部１０１は、ＣＳＧメンバーの端末の無線アクセスに必要な情報を管理する。具体的には、ＣＳＧメンバーパラメータ管理部１０１は、端末代理機能部１０５から通知されたＣＳＧメンバーの端末のパラメータ情報を記憶する。また、ＣＳＧメンバーパラメータ管理部１０１は、ＨｅＮＢ制御部１０４からの要求に応じて、記憶しているＣＳＧメンバーのパラメータ情報をＨｅＮＢ制御部１０４へ出力する。
【００１６】
ＣＳＧメンバー管理部１０２は、小型基地局装置１００に接続可能なＣＳＧメンバーの端末の情報であるＣＳＧメンバー情報を記憶する。
【００１７】
ＣＳＧメンバー接続状態管理部１０３は、ＨｅＮＢ制御部１０４から通知された、ＣＳＧメンバーの端末の小型基地局装置１００との接続状況を記憶する。例えば、ＣＳＧメンバー接続状態管理部１０３は、登録または解放を示す接続状況を記憶する。
【００１８】
ＨｅＮＢ制御部１０４は、端末から通知されるメッセージ、及びＣＳＧメンバーパラメータ管理部１０１と、ＣＳＧメンバー管理部１０２と、ＣＳＧメンバー接続状況管理部１０３とに記憶されている各情報に基づいて、小型基地局装置１００の制御を行う。即ち、ＨｅＮＢ制御部１０４は、小型基地局装置１００の起動時、ＣＳＧメンバーの端末との接続時、ＣＳＧメンバーの端末との解放時、非ＣＳＧメンバーの端末との接続時、非ＣＳＧメンバーの端末との解放時、またはＣＳＧメンバー管理部１０２に記憶するＣＳＧメンバーの端末の変更の際に、小型基地局装置１００の制御を行う。また、この際、ＨｅＮＢ制御部１０４は、無線メッセージ生成部１０９またはネットワークメッセージ生成部１０７に対して、メッセージの生成を要求する。また、ＨｅＮＢ制御部１０４は、端末または上位ネットワーク装置から送信されたメッセージの、解析結果である解析情報を、無線メッセージ解析部１１０またはネットワークメッセージ解析部１０６より取得する。なお、ＨｅＮＢ制御部１０４における具体的な制御の方法については、後述する。
【００１９】
端末代理機能部１０５は、上位ネットワーク装置に対して、ＣＳＧメンバーの端末の代理として動作する。即ち、端末代理機能部１０５は、ＨｅＮＢ制御部１０４の指示に従って、メッセージの作成を要求するとともに、端末が小型基地局装置１００に接続するために必要なパラメータ情報をＣＳＧメンバーパラメータ管理部１０１に通知する。
【００２０】
ネットワークメッセージ解析部１０６は、ネットワークインタフェース部１０８を介して上位ネットワーク装置から受信したメッセージの解析を行い、解析情報を端末代理機能部１０５またはＨｅＮＢ制御部１０４へ出力する。
【００２１】
ネットワークメッセージ生成部１０７は、ＨｅＮＢ制御部１０４または端末代理機能部１０５から通知される情報及び要求に基づいて、上位ネットワーク装置に送信するメッセージを生成する。また、ネットワークメッセージ生成部１０７は、生成したメッセージを、ネットワークインタフェース部１０８を介して上位ネットワーク装置に送信する。
【００２２】
ネットワークインタフェース部１０８は、上位ネットワーク装置に対するインタフェースとして機能する。
【００２３】
無線メッセージ生成部１０９は、ＨｅＮＢ制御部１０４から通知される情報及び要求に基づいて、端末に送信するメッセージを生成する。また、無線メッセージ生成部１０９は、生成したメッセージを、無線インタフェース部１１１及びアンテナ１１２を介して端末に送信する。
【００２４】
無線メッセージ解析部１１０は、アンテナ１１２及び無線インタフェース部１１１を介して端末より受信したメッセージの解析を行う。また、無線メッセージ解析部１１０は、解析情報をＨｅＮＢ制御部１０４へ出力する。
【００２５】
無線インタフェース部１１１は、端末に対するインタフェースとして機能する。
【００２６】
アンテナ１１２は、端末との間でメッセージ等の送受信を行う。
【００２７】
次に、小型基地局装置１００の動作について説明する。
【００２８】
小型基地局装置１００の動作について、（１）ＣＳＧメンバーの端末の登録動作、（２）起動時の動作、（３）ＣＳＧメンバーの端末との接続時の動作、（４）ＣＳＧメンバーの端末との解放時の動作、（５）非ＣＳＧメンバーの端末との接続時の動作、（６）非ＣＳＧメンバーの端末との解放時の動作、（７）ＣＳＧメンバーの端末が変更される場合の動作、の順番で以下に説明する。
【００２９】
（１）ＣＳＧメンバーの端末の登録動作
小型基地局装置１００を管理するユーザにより、ＣＳＧメンバーの端末を小型基地局装置１００に登録する。具体的には、ＣＳＧメンバー管理部１０２は、ＣＳＧメンバーの端末のＣＳＧメンバー情報を記憶する。
【００３０】
（２）起動時の動作
ＨｅＮＢ制御部１０４は、従来と同様の手順により、上位ネットワーク装置との接続を完了する。
【００３１】
ＨｅＮＢ制御部１０４は、上記の接続を完了すると、上記の（１）の動作によってＣＳＧメンバー管理部１０２に記憶したＣＳＧメンバー情報を、ＣＳＧメンバー管理部１０２から取得する。
【００３２】
ＨｅＮＢ制御部１０４は、取得したＣＳＧメンバー情報を参照して、ＣＳＧメンバーの端末の上位ネットワーク装置への一括登録指示を端末代理機能部１０５に行う。
【００３３】
端末代理機能部１０５は、上記の一括登録情報指示を受けた際に、ネットワークメッセージ生成部１０７に対して、ＣＳＧメンバーの端末を一括して登録するための一括登録メッセージの生成を要求する。
【００３４】
ネットワークメッセージ生成部１０７は、上記の要求に応じて、一括登録メッセージを生成する。
【００３５】
生成された一括登録メッセージは、ネットワークインタフェース部１０８を経由して上位ネットワーク装置に送信される。
【００３６】
上位ネットワーク装置は、一括登録メッセージを受信してＣＳＧメンバーの端末の一括登録を完了した際に、登録したＣＳＧメンバーの端末が小型基地局装置１００に接続するために必要なパラメータを含む接続メッセージを小型基地局装置１００に送信する。
【００３７】
小型基地局装置１００は、ネットワークインタフェース部１０８を介して上記の接続メッセージを受信する。
【００３８】
ネットワークメッセージ解析部１０６は、受信した接続メッセージの解析を行い、解析した結果の解析情報を端末代理機能部１０５に通知する。
【００３９】
端末代理機能部１０５は、上記の解析情報に基づいて、ＣＳＧメンバーの端末が小型基地局装置１００に接続するのに必要なパラメータ情報をＣＳＧメンバーパラメータ管理部１０１に通知する。
【００４０】
ＣＳＧメンバーパラメータ管理部１０１は、端末代理機能部１０５からパラメータ情報を取得し、ＣＳＧメンバーの端末が小型基地局装置１００に接続するために必要なパラメータ情報の管理を行う。
【００４１】
（３）ＣＳＧメンバーの端末との接続時の動作
無線インタフェース部１１１は、ＣＳＧメンバーの端末からの接続要求メッセージを、アンテナ１１２を介して受信する。
【００４２】
無線メッセージ解析部１１０は、無線インタフェース部１１１により受信した接続要求メッセージの解析を行い、解析した結果の解析情報をＨｅＮＢ制御部１０４に通知する。
【００４３】
ＨｅＮＢ制御部１０４は、上記の解析情報を用いてＣＳＧメンバー管理部１０２に記憶しているＣＳＧメンバー情報を参照することにより、接続要求メッセージを送信した端末がＣＳＧメンバーとしてＣＳＧメンバー管理部１０２に記憶されているか否かを判定する。
【００４４】
ＨｅＮＢ制御部１０４は、ＣＳＧメンバーの端末として記憶されていると判定した場合、ＣＳＧメンバーパラメータ管理部１０１に対して、該当ＣＳＧメンバーのパラメータ情報の出力（払い出し）を要求する。
【００４５】
ＣＳＧメンバーパラメータ管理部１０１は、ＨｅＮＢ制御部１０４からの出力要求に従って、必要なパラメータ情報をＨｅＮＢ制御部１０４へ出力する。
【００４６】
ＨｅＮＢ制御部１０４は、ＣＳＧメンバーパラメータ管理部１０１から出力されたパラメータ情報を含むメッセージのメッセージ生成要求を、無線メッセージ生成部１０９に通知する。
【００４７】
また、ＨｅＮＢ制御部１０４は、該当ＣＳＧメンバーの接続状況をＣＳＧメンバー接続状態管理部１０３に記憶させる。
【００４８】
無線メッセージ生成部１０９は、ＨｅＮＢ制御部１０４からのメッセージ生成要求に基づいて接続応答メッセージを生成する。
【００４９】
生成した接続応答メッセージは、無線インタフェース部１１１及びアンテナ１１２を介して、接続要求メッセージを送信した端末に送信される。
【００５０】
（４）ＣＳＧメンバーの端末との解放時の動作
無線インタフェース部１１１は、ＣＳＧメンバーの端末からの解放要求メッセージを、アンテナ１１２を介して受信する。
【００５１】
無線メッセージ解析部１１０は、無線インタフェース部１１１において受信した解放要求メッセージの解析を行い、解析した結果の解析情報をＨｅＮＢ制御部１０４に通知する。
【００５２】
ＨｅＮＢ制御部１０４は、上記の解析情報を用いて、ＣＳＧメンバー管理部１０２に記憶しているＣＳＧメンバー情報を参照することにより、解放要求メッセージを送信した端末がＣＳＧメンバーとしてＣＳＧメンバー管理部１０２に記憶されているか否かを判定する。
【００５３】
ＨｅＮＢ制御部１０４は、ＣＳＧメンバーの端末として記憶されていると判定した場合、ＣＳＧメンバー接続状態管理部１０３に記憶している接続状況を参照して、解放するか否かの判定を行う。
【００５４】
ＨｅＮＢ制御部１０４は、解放すると判定した場合に、解放応答の解放応答メッセージの生成要求を無線メッセージ生成部１０９に通知する。
【００５５】
また、ＨｅＮＢ制御部１０４は、ＣＳＧメンバー接続状態管理部１０３に記憶する該当ＣＳＧメンバーの端末の接続状況を、解放されたことを示す接続状況に更新する。
【００５６】
無線メッセージ生成部１０９は、上記の解放応答メッセージの生成要求を受けた際に、解放応答メッセージを生成する。
【００５７】
生成された解放応答メッセージは、無線インタフェース部１１１及びアンテナ１１２を介して、解放要求メッセージを送信した端末に送信される。
【００５８】
（５）非ＣＳＧメンバーの端末との接続時の動作
無線インタフェース部１１１は、非ＣＳＧメンバーの端末からの接続要求メッセージを、アンテナ１１２を介して受信する。
【００５９】
無線メッセージ解析部１１０は、無線インタフェース部１１１において受信された接続要求メッセージの解析を行い、解析された結果の解析情報をＨｅＮＢ制御部１０４に通知する。
【００６０】
ＨｅＮＢ制御部１０４は、通知された解析情報を用いてＣＳＧメンバー管理部１０２に記憶するＣＳＧメンバー情報を参照することにより、接続要求メッセージを送信した端末がＣＳＧメンバーとしてＣＳＧメンバー管理部１０２に記憶されているか否かを判定する。
【００６１】
ＨｅＮＢ制御部１０４は、ＣＳＧメンバーとして記憶されていないと判定した場合、非ＣＳＧメンバーの端末であるものと判定する。そして、ＨｅＮＢ制御部１０４は、ネットワークメッセージ生成部１０７及びネットワークインタフェース部１０８を介して、既知の通常の接続手順を用いて、上位ネットワーク装置に、接続要求メッセージを送信した非ＣＳＧメンバーの端末の登録を行う。
【００６２】
上位ネットワーク装置は、上記の登録を通知する登録通知メッセージを送信する。
【００６３】
ネットワークメッセージ解析部１０６は、ネットワークインタフェース部１０８を介して登録通知メッセージを取得し、取得した登録通知メッセージを解析する。
【００６４】
また、ＨｅＮＢ制御部１０４は、ネットワークメッセージ解析部１０６から上記の解析における解析情報を取得した際に、上位ネットワーク装置での登録が完了したものと判定し、非ＣＳＧメンバーの端末に対する解放応答メッセージのメッセージ生成要求を無線メッセージ生成部１０９に通知する。
【００６５】
無線メッセージ生成部１０９は、ＨｅＮＢ制御部１０４からのメッセージ生成要求に従って、解放応答メッセージを生成する。
【００６６】
生成された解放応答メッセージは、無線インタフェース部１１１及びアンテナ１１２を介して、接続要求メッセージを送信した非ＣＳＧメンバーの端末に送信される。
【００６７】
（６）非ＣＳＧメンバーの端末との解放時の動作
無線インタフェース部１１１は、非ＣＳＧメンバーの端末からの解放要求メッセージを、アンテナ１１２を介して受信する。
【００６８】
無線メッセージ解析部１１０は、無線インタフェース部１１１において受信された解放要求メッセージの解析を行い、解析された結果の解析情報をＨｅＮＢ制御部１０４に通知する。
【００６９】
ＨｅＮＢ制御部１０４は、解析情報を用いてＣＳＧメンバー管理部１０２に記憶しているＣＳＧメンバー情報を参照することにより、解放要求メッセージを送信した端末がＣＳＧメンバーとしてＣＳＧメンバー管理部１０２に記憶されているか否かを判定する。
【００７０】
ＨｅＮＢ制御部１０４は、ＣＳＧメンバーとして記憶されていないと判定した場合、非ＣＳＧメンバーの端末であるものと判定する。そして、ＨｅＮＢ制御部１０４は、ネットワークメッセージ生成部１０７及びネットワークインタフェース部１０８を介して、既知の通常の解放手順を用いて、上位ネットワーク装置に非ＣＳＧメンバーの端末の解放を行う。
【００７１】
上位ネットワーク装置は、上記の解放を通知する解放通知メッセージを送信する。
【００７２】
ネットワークメッセージ解析部１０６は、ネットワークインタフェース部１０８を介して解放通知メッセージを取得し、取得した解放通知メッセージを解析する。
【００７３】
ＨｅＮＢ制御部１０４は、ネットワークメッセージ解析部１０６から上記の解析における解析情報を取得した際に、上位ネットワーク装置での解放が完了したものと判定し、非ＣＳＧメンバーの端末に対する解放応答メッセージの生成要求を無線メッセージ生成部１０９に通知する。
【００７４】
無線メッセージ生成部１０９は、解放応答メッセージの生成要求に従って、解放応答メッセージを生成する。
【００７５】
生成した解放応答メッセージは、無線インタフェース部１１１及びアンテナ１１２を介して、解放要求メッセージを送信した非ＣＳＧメンバーの端末に送信される。
【００７６】
（７）ＣＳＧメンバーの端末が変更される場合の動作
小型基地局装置１００を管理するユーザは、新たなＣＳＧメンバーの端末を小型基地局装置１００に登録する。具体的には、ＣＳＧメンバー管理部１０２は、新たなＣＳＧメンバーの端末のＣＳＧメンバー情報を記憶する。ここで、新たにＣＳＧメンバーの端末を登録する状況としては、家庭内またはオフィス内において使用する端末を、新規に購入した場合、または買い替えた場合等が考えられる。
【００７７】
ＨｅＮＢ制御部１０４は、新たなＣＳＧメンバーの端末のＣＳＧメンバー情報をＣＳＧメンバー管理部１０２から取得する。また、ＨｅＮＢ制御部１０４は、取得したＣＳＧメンバー情報を参照して、ＣＳＧメンバー情報の更新指示を端末代理機能部１０５に行う。この際、ＨｅＮＢ制御部１０４は、ＣＳＧメンバーの端末の一部を更新する場合には、新たに追加したＣＳＧメンバーの端末のみのＣＳＧメンバー情報の更新指示を行う。なお、新たに追加したＣＳＧメンバーの端末のみのＣＳＧメンバー情報の更新指示を行う場合に限らず、新たに追加したＣＳＧメンバーの端末を含む全てのＣＳＧメンバーの端末のＣＳＧメンバー情報の更新指示を行うようにしてもよい。
【００７８】
端末代理機能部１０５は、上記の更新指示に従って、ネットワークメッセージ生成部１０７に対して、登録されているＣＳＧメンバーの端末を更新する更新メッセージの生成を要求する。
【００７９】
ネットワークメッセージ生成部１０７は、上記の要求に従って、ＣＳＧメンバーの端末の更新メッセージを生成する。
【００８０】
生成された更新メッセージは、ネットワークインタフェース部１０８を介して上位ネットワーク装置に送信される。
【００８１】
上位ネットワーク装置は、ＣＳＧメンバーの端末の更新を完了した際に、更新されたＣＳＧメンバーの端末が小型基地局装置１００に接続するために必要なパラメータを含むメッセージを、小型基地局装置１００に送信する。
【００８２】
小型基地局装置１００は、ネットワークインタフェース部１０８を介して上記のメッセージを受信する。
【００８３】
ネットワークメッセージ解析部１０６は、ネットワークインタフェース部１０８において受信したメッセージの解析を行い、解析した結果の解析情報を端末代理機能部１０５に通知する。
【００８４】
端末代理機能部１０５は、ネットワークメッセージ解析部１０６から取得した解析情報より、更新されたＣＳＧメンバーの端末が小型基地局装置１００に接続するために必要なパラメータ情報を取得し、取得したパラメータ情報をＣＳＧメンバーパラメータ管理部１０１に通知する。
【００８５】
また、端末代理機能部１０５は、ＣＳＧメンバー管理部１０２において更新前のＣＳＧメンバーの端末の削除が行われた場合には、削除されたＣＳＧメンバーの端末の情報を、ＨｅＮＢ制御部１０４を介して取得する。そして、端末代理機能部１０５は、ＣＳＧメンバーパラメータ管理部１０１に対して、削除されたＣＳＧメンバーの端末に関する情報を削除する通知を行う。
【００８６】
ＣＳＧメンバーパラメータ管理部１０１は、上記の通知を受けて削除されたＣＳＧメンバーの端末に関する情報を削除するとともに、更新されたＣＳＧメンバーの端末が小型基地局装置１００に接続するために必要なパラメータ情報の管理を行う。
【００８７】
このように、本実施の形態では、起動時またはＣＳＧメンバーの端末の更新時において、ＣＳＧメンバーの端末の一括登録または更新を要求するメッセージを上位ネットワーク装置に送信する。これにより、本実施の形態によれば、各ＣＳＧメンバーの端末からの個々の要求毎に上位ネットワーク装置に対してシグナリングしないので、上位ネットワーク装置との間のシグナリング量を削減して、上位ネットワーク装置の処理負荷を低減することができる。
【００８８】
また、本実施の形態では、ＣＳＧメンバーの端末からの接続要求を受信する前において、ＣＳＧメンバーの端末と接続する際に必要なパラメータを事前に上位ネットワーク装置から取得する。これにより、本実施の形態によれば、ＣＳＧメンバーの端末から接続要求を受信した際に、ＣＳＧメンバーの端末との接続を従来よりも早く完了することができる。
【００８９】
なお、本実施の形態において、起動時またはＣＳＧメンバーの端末の更新時にＣＳＧメンバーの端末の一括登録または更新を要求するメッセージを上位ネットワーク装置に送信した。しかしながら、本発明はこれに限らず、所定時間毎等の任意のタイミングで、一括登録または更新を要求するメッセージを上位ネットワーク装置に送信することができる。
【００９０】
２０１０年１０日８日出願の特願２０１０−２２８７２０の日本出願に含まれる明細書、図面及び要約書の開示内容は、すべて本願に援用される。
【産業上の利用可能性】
【００９１】
本発明にかかる小型基地局装置及びシグナリング方法は、例えば家庭またはオフィス等の限られたエリア内の端末との接続及び解放を行うのに好適である。
【符号の説明】
【００９２】
１００  小型基地局装置
１０１  ＣＳＧメンバーパラメータ管理部
１０２  ＣＳＧメンバー管理部
１０３  ＣＳＧメンバー接続状態管理部
１０４  ＨｅＮＢ制御部
１０５  端末代理機能部
１０６  ネットワークメッセージ解析部
１０７  ネットワークメッセージ生成部
１０８  ネットワークインタフェース部
１０９  無線メッセージ生成部
１１０  無線メッセージ解析部
１１１  無線インタフェース部
１１２  アンテナ
【図１】
2012046457.tif 000003
【国際調査報告】
2012046457.tif 000004
2012046457.tif 000005
2012046457.tif 000006
2012046457.tif 000007